(57)【要約】【課題】  木管のようなソフトな音を鳴らすことができ、しかも音の反応性、音の明瞭性、音の抜け、適度な抵抗感、音の深さ、音の広がり等の点においても充分な効果を有するフルートを提供する。【解決手段】  頭部管１、本管２、足部管３の何れかの少なくとも一つに硬質木材４を装着したものとしている。すなわち、前記硬質木材４は、本管２の外側部２ａおよび足部管３の外側部３ａに装着したものとしたり、本管２の外側部２ａに装着したものとしており、頭部管１の外側部１ａに装着したものとしたり、頭部管１の外側部１ａおよび本管２の外側部２ａに装着したものとしたり、頭部管１の外側部１ａ、本管２の外側部２ａおよび足部管３の外側部３ａに装着したものしている。さらに、前記硬質木材４は、頭部管１のヘッドジョイント１２内に装着したものとしたり、頭部管１の外側部１ａおよびヘッドジョイント１２内に装着したものとすることができる。【選択図面】    図３
2005189302.tif 000002
【特許請求の範囲】
【請求項１】
頭部管（１）、本管（２）、足部管（３）の何れかの少なくとも一つに硬質木材（４）を装着したことを特徴とするフルート。
【請求項２】
前記硬質木材（４）が、本管（２）の外側部（２ａ）および足部管（３）の外側部（３ａ）に装着したものであることを特徴とする請求項１記載のフルート。
【請求項３】
前記硬質木材（４）が、本管（２）の外側部（２ａ）に装着したものであることを特徴とする請求項１記載のフルート。
【請求項４】
前記硬質木材（４）が、頭部管（１）の外側部（１ａ）に装着したものであることを特徴とする請求項１記載のフルート。
【請求項５】
前記硬質木材（４）が、頭部管（１）の外側部（１ａ）および本管（２）の外側部（２ａ）に装着したものであることを特徴とする請求項１記載のフルート。
【請求項６】
前記硬質木材（４）が、頭部管（１）の外側部（１ａ）、本管（２）の外側部（２ａ）および足部管（３）の外側部（３ａ）に装着したものであることを特徴とする請求項１記載のフルート。
【請求項７】
前記硬質木材（４）が、頭部管（１）のヘッドジョイント（１２）内に装着したものであることを特徴とする請求項１記載のフルート。
【請求項８】
前記硬質木材（４）が、頭部管（１）の外側部（１ａ）およびヘッドジョイント（１２）内に装着したものであることを特徴とする請求項１記載のフルート。
【発明の詳細な説明】
【技術分野】
【０００１】
この発明は、音色をソフト感のあるものにしたり、音の反応性や明瞭性を良くするなどの改良を施したフルートに関するものである。
【背景技術】
【０００２】
従来のフルートは、低音部から高温部までの広い音域で、ダイナミックレンジの広い演奏を行うことが困難であり、また音の安定性と反応性が不足しており、長く同じ音程の音を演奏しにくく、長い音と、そのあとの音とのつながりをもって演奏することが困難であるという問題点を有していた。
【０００３】
そこで、これらの問題点を解消するために、例えば図１２に示したような、頭部管の反射部材を改良したフルートが発明されている。このフルートは、頭部管１０１の端部を、反射部材１１１、押さえ部材１１２、軸棒１１３、コルク１１４から構成される閉塞部材（ヘッドジョイント）１１５によって閉塞するようにしたものにおいて、前記反射部材１１１の外周縁の部分と前記頭部管１０１の内面との境界に、図１３に示したような、角を除いたコーナー部１２１を設けたものとしている。このように構成されたフルートは、（１）音のダイナミックレンジが広くなる、（２）音の響きが豊かで深いものになる、（３）丸みがあって暖かい音になる、（４）低音から高音までむらなく鳴る、（５）強い音から弱い音までむらなく鳴る、（６）音程を保つために演奏が容易になる、（７）音の反応が速くなる、等々の効果を有するものとなった（特許文献１）。
【特許文献１】登録実用新案第３０２３２９８号公報（第１、２頁、図１、２）
【発明の開示】
【発明が解決しようとする課題】
【０００４】
しかしながら、上記従来のフルートは、木管のようなソフトな音を鳴らすようなことはできず、また音の反応性、音の明瞭性、音の抜け、適度な抵抗感、音の深さ、音の広がり等の点において、未だ不充分であるという問題点を有していた。
【０００５】
そこで、この発明は、上記従来の問題点を解決することをその課題としており、木管のようなソフトな音を鳴らすことができ、しかも音の反応性、音の明瞭性、音の抜け、適度な抵抗感、音の深さ、音の広がり等の点においても充分な効果を有するフルートを提供することを目的としてなされたものである。
【課題を解決するための手段】
【０００６】
そのため、この発明のフルートは、頭部管１、本管２、足部管３の何れかの少なくとも一つに硬質木材４を装着したものとしている。
【０００７】
そして、この発明のフルートにおいて、前記硬質木材４は、本管２の外側部２ａおよび足部管３の外側部３ａに装着したものとしたり、本管２の外側部２ａに装着したものとしており、頭部管１の外側部１ａに装着したものとしたり、頭部管１の外側部１ａおよび本管２の外側部２ａに装着したものとしたり、頭部管１の外側部１ａ、本管２の外側部２ａおよび足部管３の外側部３ａに装着したものとすることができる。
【０００８】
さらに、この発明のフルートにおいて、前記硬質木材４は、頭部管１のヘッドジョイント１２内に装着したものとしたり、頭部管１の外側部１ａおよびヘッドジョイント１２内に装着したものとすることができる。
【発明の効果】
【０００９】
この発明のフルートは、以上のように構成されているので、木管のようなソフトな音を鳴らすことができ、しかも音の反応性、音の明瞭性、音の抜け、適度な抵抗感、音の深さ、音の広がり等の点においても充分な効果を有するものとなった。
【発明を実施するための最良の形態】
【００１０】
以下、この発明のフルートを実施するための最良の形態を、図面に基づいて詳細に説明する。
【００１１】
この発明のフルートは、図１、２に示したように、頭部管１、本管２、足部管３からなる。これら頭部管１、本管２、足部管３は、洋白、銀、金などの金属からなるものとしている。
【００１２】
頭部管１は、管体の頭部側に歌口１１が設けられており、この歌口１１のさらに頭部側にはヘッドジョイント１２が設けられている。ヘッドジョイント１２は、例えば図４に示したように、反射部材１３、押さえ部材１４、軸棒１５、コルク１６から構成されている。コルク１６は、軸棒１５の外周に螺着されており、反射部材１３と押さえ部材１４とによって締め付けられ、頭部管１の内面に密着して、頭部管１の開放端に固定されている。軸棒１５は、端部がヘッドスクリュー１７にねじ込まれ、ヘッドジョイント１２の微調整を行うことができるようにしている。
【００１３】
本管２や足部管３には、指穴にキイが設けられており、そのキイを支えるロッド２１、３１や、キイのフタ２２、３２などが取り付けられている。
【００１４】
前記頭部管１、本管２、足部管３には、これらの何れかの少なくとも一つに硬質木材４を装着したものとしている。図１に示したものは、本管２の外側部２ａおよび足部管３の外側部３ａに硬質木材４を装着したものとしており、図２に示したものは、本管２の外側部２ａに硬質木材４を装着したものとしており、図３に示したものは、頭部管１の外側部１ａに硬質木材４を装着したものとしている。さらに、図示していないが、頭部管１の外側部１ａおよび本管２の外側部２ａに硬質木材４を装着したものとしたり、頭部管１の外側部１ａ、本管２の外側部２ａおよび足部管３の外側部３ａに硬質木材４を装着したものとすることができる。また、図４〜８に示したものは、頭部管１のヘッドジョイント１ａ内に硬質木材４を装着したものとしており、図９〜１１に示したものは、頭部管１の外側部１ａおよびヘッドジョイント１ａ内に硬質木材４を装着したものとしている。
【００１５】
前記硬質木材４は、ローズウッド、グラナディラ（黒檀）、メイプル、エボニーなどの楽器に使用されるものであって、気乾比重が約０．７以上のものとするのが好ましいが、硬質木材といえるものであれば特に限定されない。この硬質木材４は、厚さを約１〜３ｍｍにし、外側部１ａ、２ａ、３ａの湾曲面に沿った接触面を有した板状にし、図１〜３に示したように、これら外側部１ａ、２ａ、３ａに貼り付けたものとしている。図１に示したものは、前記硬質木材４が本管２の外側部２ａおよび足部管３の外側部３ａのそれぞれの下半部を覆うようにして貼り付けたものとし、図２に示したものは、前記硬質木材４が本管２の演奏者の指が接触する部分に貼り付けたものとし、図３に示したものは、前記硬質木材４が頭部管１の外側部１ａの下半部を覆うようにして貼り付けたものとしている。
【００１６】
また、前記硬質木材４は、図４に示したように、円筒状としたもの４ａを、ヘッドスクリュー１７の内側に装着するようにして、頭部管１のヘッドジョイント１２内に装着したものとしている。さらに、前記硬質木材４は、図５に示したように、内面にネジ溝を形成した円筒状としたもの４ｂを、コルク１６の内側に装着し、このコルク１６と一緒に軸棒１５の外周に螺着するようにして、頭部管１のヘッドジョイント１２内に装着したものとしている。また、前記硬質木材４は、図６に示したように、内面にネジ溝を形成した円筒状としたもの４ｂを、コルク１６の内側に装着し、このコルク１６と一緒に軸棒１５の外周に螺着すると共に、円筒状としたもの４ａをヘッドスクリュー１７の内側に装着するようにして、頭部管１のヘッドジョイント１２内に装着したものとしてもよい。さらに、前記硬質木材４は、図７に示したように、内面にネジ溝を形成した円筒状としたもの４ｂを、コルク１６の内側に装着し、このコルク１６と一緒に軸棒１５の外周に螺着し、このコルク１６を突き抜け、押さえ部材１４とヘッドスクリュー１７の間にも装着すると共に、円筒状としたもの４ａをヘッドスクリュー１７の内側に装着するようにして、頭部管１のヘッドジョイント１２内に装着したものとしてもよい。さらに、前記硬質木材４は、図８に示したように、円筒状としたもの４ａをコルク１６の内側に装着し、このコルク１６を突き抜け、押さえ部材１４とヘッドスクリュー１７の間にも装着すると共に、この円筒状としたもの４ａに硬質木材４で作製した軸棒１５を挿入し、しかも円筒状としたもの４ａをヘッドスクリュー１７の内側に装着するようにして、頭部管１のヘッドジョイント１２内に装着したものとしてもよい。
【００１７】
また、前記硬質木材４は、図９に示したように、頭部管１の外側部１ａに沿う円筒状としたもの４ｃを嵌め込んだものとし、円筒状としたもの４ａをヘッドスクリュー１７の内側に装着するようにして、頭部管１の外側部１ａに装着したものとしてもよい。さらに、前記硬質木材４は、図１０に示したように、頭部管１の外側部１ａに沿う円筒状としたもの４ｃを嵌め込んだものとし、内面にネジ溝を形成した円筒状としたもの４ｂを、コルク１６の内側に装着し、このコルク１６と一緒に軸棒１５の外周に螺着すると共に、円筒状としたもの４ａをヘッドスクリュー１７の内側に装着するようにして、頭部管１の外側部１ａとヘッドジョイント１２内とに装着したものとしてもよい。また、前記硬質木材４は、図１１に示したように、頭部管１の外側部１ａに沿う円筒状としたもの４ｃを嵌め込んだものとし、内面にネジ溝を形成した円筒状としたもの４ｂを、コルク１６の内側に装着し、このコルク１６と一緒に軸棒１５の外周に螺着すると共に、この軸棒１５の端部を硬質木材４で作成したヘッドスクリュー１７にねじ込むようにして、頭部管１の外側部１ａとヘッドジョイント１ａ内とに装着したものとしてもよい。
【００１８】
そこで、以上のように構成したこの発明のフルートを、プロの演奏家１０名、音楽大の演奏家１０名、一般の演奏家２０名に演奏してもらったところ、演奏家によって内容は多少異なるが、次に示すように大変良好な意見を得た（なお、１名での評価の内容は重複している）。
【００１９】
〔プロの演奏家〕
(1) 音の反応が良い                  ……  ９名
(2) 音がクリアーで芯がある          ……  ８名
(3) 木管のようなソフトな音になる    ……  ８名
(4) 音の抜けが良い                  ……  ８名
(5) 適度な抵抗感がある              ……  ６名
(6) 音が深くはいる                  ……  ８名
(7) 音が傍なりしなくなり遠くへ飛ぶ  ……  ６名
(8) 音のダイナミックスレンジが広い  ……  ８名
【００２０】
〔音楽大の演奏家〕
(1) 音の反応が良い                  ……  ９名
(2) 音がクリアーで芯がある          ……  ７名
(3) 木管のようなソフトな音になる    ……  ８名
(4) 音の抜けが良い                  ……  ８名
(5) 適度な抵抗感がある              ……  ６名
(6) 音が深くはいる                  ……  ７名
(7) 音が傍なりしなくなり遠くへ飛ぶ  ……  ６名
(8) 音のダイナミックスレンジが広い  ……  ７名
【００２１】
〔一般の演奏家〕
(1) 音の反応が良い                  ……１６名
(2) 音がクリアーで芯がある          ……１４名
(3) 木管のようなソフトな音になる    ……１６名
(4) 音の抜けが良い                  ……１４名
(5) 適度な抵抗感がある              ……１４名
(6) 音が深くはいる                  ……１６名
(7) 音が傍なりしなくなり遠くへ飛ぶ  ……１２名
(8) 音のダイナミックスレンジが広い  ……１４名
【図面の簡単な説明】
【００２２】
【図１】この発明のフルートの一実施形態を示す右側面図である。
【図２】この発明のフルートの他の実施形態を示す左側面図である。
【図３】この発明のフルートのさらに他の実施形態における頭部管の右側面図である。
【図４】この発明のフルートのさらに他の実施形態における頭部管の部分断面図である。
【図５】この発明のフルートのさらに他の実施形態における頭部管の部分断面図である。
【図６】この発明のフルートのさらに他の実施形態における頭部管の部分断面図である。
【図７】この発明のフルートのさらに他の実施形態における頭部管の部分断面図である。
【図８】この発明のフルートのさらに他の実施形態における頭部管の部分断面図である。
【図９】この発明のフルートのさらに他の実施形態における頭部管の断面図である。
【図１０】この発明のフルートのさらに他の実施形態における頭部管の断面図である。
【図１１】この発明のフルートのさらに他の実施形態における頭部管の断面図である。
【図１２】従来のフルートの一例を示す頭部管の部分断面図である。
【図１３】図１２に示す従来のフルートの頭部管の反射部材の断面図である。
【符号の説明】
【００２３】
１  頭部管
１ａ  外側部
２  本管
２ａ  外側部
３  足部管
３ａ  外側部
１２  ヘッドジョイント
【図１】
2005189302.tif 000003
【図２】
2005189302.tif 000004
【図３】
2005189302.tif 000005
【図４】
2005189302.tif 000006
【図５】
2005189302.tif 000007
【図６】
2005189302.tif 000008
【図７】
2005189302.tif 000009
【図８】
2005189302.tif 000010
【図９】
2005189302.tif 000011
【図１０】
2005189302.tif 000012
【図１１】
2005189302.tif 000013
【図１２】
2005189302.tif 000014
【図１３】
2005189302.tif 000015